(57)【要約】【課題】  電池残量に応じた適当な通信回線を自動で選択できるようにする。【解決手段】  移動体端末装置１が無線ＬＡＮの通話圏内に入ると、無線ＬＡＮ通話圏判定手段１ｃにより、無線ＬＡＮ経由通話手段１ａから無線ＬＡＮ電波強度情報が取得され、無線ＬＡＮ電波強度情報が所定値以上となることで無線ＬＡＮ２の通話圏内に入ったことが判定される。すると、通信回線選択手段１ｅにより、電池を管理する電池管理回路１ｄから電池残量を示す電池残量情報が取得され、電池残量情報に基づいて、着信時の通信回線が選択される。そして、通信回線選択手段１ｅにおいて無線ＬＡＮ２経由の通信回線が選択された場合、転送設定要求手段１ｆにより、無線電話網３経由の通信用の電話番号に対する着信を無線ＬＡＮ２経由の通信回線に転送させるための転送設定要求が、回線転送設定を管理する装置に対して出力される。【選択図】  図１
2006180174.tif 000002
【特許請求の範囲】
【請求項１】
無線ＬＡＮ（ローカルエリアネットワーク）を経由した通話機能を有する無線ＬＡＮ経由通話手段と、無線電話網を経由した通話機能を有する無線電話網経由通話手段とを有する移動体端末装置を制御するための移動体端末制御プログラムにおいて、
コンピュータを、
前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上となることで無線ＬＡＮの通話圏内に入ったことを判定する無線ＬＡＮ通話圏判定手段、
前記無線ＬＡＮ通話圏判定手段で無線ＬＡＮの通話圏内へ入ったと判定されると、電池を管理する電池管理回路から電池残量を示す電池残量情報を取得し、前記電池残量情報が所定値以上であれば、着信時の通信回線として無線ＬＡＮ経由の通信回線を選択する通信回線選択手段、
前記通信回線選択手段において前記無線ＬＡＮ経由の通信回線が選択された場合、前記無線電話網経由の通信用の電話番号に対する着信を前記無線ＬＡＮ経由の通信回線に転送させるための転送設定要求を、回線転送設定を管理する装置に対して出力する転送設定要求手段、
として機能させることを特徴とする移動体端末制御プログラム。
【請求項２】
コンピュータを、さらに、
無線電話網経由の通信回線を優先するか、無線ＬＡＮ経由の通信回線を優先するかを選択する操作入力を受け付け、選択された通信回線を示すモード情報を記憶するモード管理手段として機能させ、
前記通信回線選択手段は、前記モード情報において無線電話が優先されていた場合、前記無線電話網経由通話手段から、無線電話の基地局からの電波の強度を示す無線電話電波強度情報を取得し、前記無線電話電波強度情報が所定値以上であれば、着信時の通信回線として無線電話網経由の通信回線を選択することを特徴とする請求項１記載の移動体端末制御プログラム。
【請求項３】
無線ＬＡＮを経由した通話機能を有する無線ＬＡＮ経由通話手段と、無線電話網を経由した通話機能を有する無線電話網経由通話手段とを有する移動体端末装置を制御するための移動体端末制御プログラムにおいて、
コンピュータを、
電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定する無線ＬＡＮ通話圏判定手段、
前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択する通信回線選択手段、
前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する発信制御手段、
として機能させることを特徴とする移動体端末制御プログラム。
【請求項４】
無線による通話を行う移動体端末装置において、
無線ＬＡＮを経由した通話機能を有する無線ＬＡＮ経由通話手段と、
無線電話網を経由した通話機能を有する無線電話網経由通話手段と、
前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上となることで無線ＬＡＮの通話圏内に入ったことを判定する無線ＬＡＮ通話圏判定手段と、
前記無線ＬＡＮ通話圏判定手段で無線ＬＡＮの通話圏内へ入ったと判定されると、電池を管理する電池管理回路から電池残量を示す電池残量情報を取得し、前記電池残量情報が所定値以上であれば、着信時の通信回線として無線ＬＡＮ経由の通信回線を選択する通信回線選択手段と、
前記通信回線選択手段において前記無線ＬＡＮ経由の通信回線が選択された場合、前記無線電話網経由の通信用の電話番号に対する着信を前記無線ＬＡＮ経由の通信回線に転送させるための転送設定要求を、回線転送設定を管理する装置に対して出力する転送設定要求手段と、
を有することを特徴とする移動体端末装置。
【請求項５】
無線による通話を行う移動体端末装置において、
無線ＬＡＮを経由した通話機能を有する無線ＬＡＮ経由通話手段と、
無線電話網を経由した通話機能を有する無線電話網経由通話手段と、
電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定する無線ＬＡＮ通話圏判定手段と、
前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択する通信回線選択手段と、
前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する発信制御手段と、
を有することを特徴とする移動体端末装置。
【発明の詳細な説明】
【技術分野】
【０００１】
本発明は移動体端末装置を制御するための移動体端末制御プログラムおよび移動体端末装置に関し、特に無線ＬＡＮ（ローカルエリアネットワーク）を経由した通話機能を有する無線ＬＡＮ経由通話手段と、無線電話網を経由した通話機能を有する無線電話網経由通話手段とを有する移動体端末装置を制御するための移動体端末制御プログラムおよび移動体端末装置に関する。
【背景技術】
【０００２】
近年、インターネットやイントラネット上で音声通話を行うＶｏＩＰ（Voice over Internet Protocol）が普及してきている。ＶｏＩＰは、コンピュータネットワークにおけるデータ通信プロトコルを用いて音声情報を伝送し、端末間での音声通話を可能にしたものである。従って、ＶｏＩＰは、所定のデータ通信プロトコルを用いているネットワークであれば、有線、無線を問わずに適用できる。
【０００３】
そこで、無線ＬＡＮ（Local Area Network）によるデータ通信機能を電話機に搭載することで、無線ＩＰ（Internet Protocol）電話機を構成することができる。無線ＩＰ電話機は、無線ＬＡＮのアクセスポイント周辺で通話できると共に、ローミング機能の実現により、アクセスポイント間を移動しながらの通話も可能となる（例えば、特許文献１参照）。
【０００４】
このような無線ＩＰ電話の機能を、携帯電話網やＰＨＳ（Personal Handyphone System）などの無線電話網経由の通話に使用する無線電話機に搭載することもできる。この場合、ユーザは、無線電話網と無線ＬＡＮとの何れかを任意に選択して通話することができる。無線ＩＰ電話の機能を含む無線ＬＡＮが搭載されたＰＤＡ（Personal Digital(Data) Assistants）に、携帯電話やＰＨＳの通信機能を搭載した場合にも、ユーザは、無線電話網と無線ＬＡＮとの何れかを任意に選択して通話することができる。以下、無線電話網や無線ＬＡＮを経由した音声通話機能を有する装置を、移動体端末装置と呼ぶこととする。
【０００５】
さらに、携帯電話やＰＨＳ等の無線電話網経由でＶｏＩＰを使用することもできる。ただし、携帯電話やＰＨＳ等の無線電話網上でＶｏＩＰを使用すると、帯域が狭いために音声が途切れたり大きな遅延が発生したりする。そのため、無線ＬＡＮ等の帯域の大きなネットワークに接続したときにはＶｏＩＰを使用し、帯域の狭い携帯電話やＰＨＳ等の無線電話網ではＶｏＩＰを使わずに電話通話を行うといった使い分けが必要となる。通常、ＶｏＩＰによる通話機能と無線電話網による通話機能との何れの通話機能により通話するのかは、通信状態等に基づいてユーザが通話開始前に選択する。
【特許文献１】特開２００２−１２５０６９号公報
【発明の開示】
【発明が解決しようとする課題】
【０００６】
ところで、移動体端末装置が他の電話機からの呼びだしを受ける場合、他の電話機のユーザは、呼びだし相手の移動体端末装置の無線ＬＡＮの電波状態を予め知ることは出来ない。しかも、移動体通信の場合、移動体端末装置の位置が移動することで、通信状態が変化する。そこで、本出願人は、無線ＬＡＮは使用量が安価であるが待ち受け時の消費電力が多いことを考慮して、待ち受けは電話回線を利用し、電話着信時に回線の接続状態がよければ無線ＬＡＮに回線を切り替えて通話を行う発明を出願している（特願２００４−１８１５７５号）。
【０００７】
しかし、２つの回線のうちのどちらで通話すべきかは、無線ＬＡＮの通信状態のみでは判断できない場合もある。例えば、無線ＬＡＮの通信状態が良好であっても、電池残量が少ない場合、無線電話の電話回線を利用して通話することで電池を長持ちさせることができる。
【０００８】
本発明はこのような点に鑑みてなされたものであり、電池残量に応じた適当な通信回線を自動で選択可能な移動体端末制御プログラムおよび移動体端末装置を提供することを目的とする。
【課題を解決するための手段】
【０００９】
第１の発明では上記課題を解決するために、図１に示すような機能をコンピュータで実現する移動体端末制御プログラムが提供される。この移動体端末制御プログラムは、無線ＬＡＮ２を経由した通話機能を有する無線ＬＡＮ経由通話手段１ａと、無線電話網３を経由した通話機能を有する無線電話網経由通話手段１ｂとを有する移動体端末装置１を制御するためのものである。移動体端末制御プログラムは、コンピュータを図１に示すように機能させることができる。
【００１０】
無線ＬＡＮ通話圏判定手段１ｃは、無線ＬＡＮ経由通話手段１ａから、無線ＬＡＮ２のアクセスポイント２ａからの電波の強度を示す無線ＬＡＮ電波強度情報を取得し、無線ＬＡＮ電波強度情報が所定値以上となることで無線ＬＡＮ２の通話圏内に入ったことを判定する。通信回線選択手段１ｅは、無線ＬＡＮ通話圏判定手段１ｃで無線ＬＡＮ２の通話圏内へ入ったと判定されると、電池を管理する電池管理回路１ｄから電池残量を示す電池残量情報を取得し、前記電池残量情報が所定値以上であれば、着信時の通信回線として無線ＬＡＮ２経由の通信回線を選択する。転送設定要求手段１ｆは、通信回線選択手段１ｅにおいて無線ＬＡＮ２経由の通信回線が選択された場合、無線電話網３経由の通信用の電話番号に対する着信を無線ＬＡＮ２経由の通信回線に転送させるための転送設定要求を、回線転送設定を管理する装置に対して出力する。
【００１１】
このような移動体端末制御プログラムによれば、移動体端末装置１が無線ＬＡＮの通話圏内に入ると、無線ＬＡＮ通話圏判定手段１ｃにより、無線ＬＡＮ経由通話手段１ａから無線ＬＡＮ電波強度情報が取得され、無線ＬＡＮ電波強度情報が所定値以上となることで無線ＬＡＮ２の通話圏内に入ったことが判定される。すると、通信回線選択手段１ｅにより、電池を管理する電池管理回路１ｄから電池残量を示す電池残量情報が取得され、電池残量情報に基づいて、着信時の通信回線が選択される。そして、通信回線選択手段１ｅにおいて無線ＬＡＮ２経由の通信回線が選択された場合、転送設定要求手段１ｆにより、無線電話網３経由の通信用の電話番号に対する着信を無線ＬＡＮ２経由の通信回線に転送させるための転送設定要求が、回線転送設定を管理する装置に対して出力される。
【００１２】
また、第２の発明では、上記課題を解決するために、無線ＬＡＮを経由した通話機能を有する無線ＬＡＮ経由通話手段と、無線電話網を経由した通話機能を有する無線電話網経由通話手段とを有する移動体端末装置を制御するための移動体端末制御プログラムにおいて、コンピュータを、電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定する無線ＬＡＮ通話圏判定手段、前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択する通信回線選択手段、前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する発信制御手段、として機能させることを特徴とする移動体端末制御プログラムが提供される。
【００１３】
このような移動体端末制御プログラムをコンピュータに実行させることで、コンピュータにおいて、無線ＬＡＮ通話圏判定手段により、電話番号の発信の操作入力が行われると、無線ＬＡＮ経由通話手段から無線ＬＡＮ電波強度情報が取得され、無線ＬＡＮ電波強度情報が所定値以上か否かにより無線ＬＡＮの通話圏内か否かが判定される。無線ＬＡＮ通話圏判定手段で無線ＬＡＮの通話圏内と判定されると、通信回線選択手段により、電池を管理する電池管理回路から電池残量情報が取得され、電池残量情報が所定値以上であれば、発信時の通信回線として無線ＬＡＮ経由の通信回線が選択され、電池残量情報が所定値未満であれば、発信時の通信回線として無線電話網経由の通信回線が選択される。そして、発信制御手段により、通信回線選択手段において無線電話網経由の通信回線が選択された場合、無線電話網経由通話手段に対して発信の指示が行われ、無線ＬＡＮ経由の通信回線が選択された場合、無線ＬＡＮ経由通話手段に対して発信の指示が行われる。
【発明の効果】
【００１４】
第１の発明では、無線ＬＡＮの通話圏内に入った際に、電池残量が所定値以上あることを確認して、無線電話の電話番号宛の着信を無線ＬＡＮ経由の通信回線に転送させるための転送設定要求を出力するようにした。これにより、無線ＬＡＮの電波状況と電池残量とに基づいて、着信の通信回線として適切な通信回線を選択することができる。
【００１５】
第２の発明では、電話番号の発信の操作入力が行われた際に、無線ＬＡＮの通話圏内であり、電池残量が所定値以上であれば、無線ＬＡＮ経由通話手段に対して発信の指示をするようにした。これにより、無線ＬＡＮの電波状況と電池残量とに基づいて、発信の通信回線として適切な通信回線を選択することができる。
【発明を実施するための最良の形態】
【００１６】
以下、本発明の実施の形態を図面を参照して説明する。
図１は、実施の形態の概略を示す図である。図１に示すように、移動体端末装置１は、無線ＬＡＮ経由通話手段１ａ、無線電話網経由通話手段１ｂ、無線ＬＡＮ通話圏判定手段１ｃ、電池管理回路１ｄ、通信回線選択手段１ｅ、および転送設定要求手段１ｆを有する。
【００１７】
無線ＬＡＮ経由通話手段１ａは、無線ＬＡＮ２を経由したＶｏＩＰによる通話機能を有する。この通話機能には、無線ＬＡＮ２のアクセスポイント２ａからの電波の強度を検出し、数値化する機能も含まれる。無線ＬＡＮ経由通話手段１ａは、アクセスポイント２ａからの電波の強度を示す値を、無線ＬＡＮ電波強度情報として出力する。
【００１８】
無線電話網経由通話手段１ｂは、無線電話網３（携帯電話網やＰＨＳ通信網）の基地局３ａと通信し、無線電話網３を経由した通話機能を有する。
無線ＬＡＮ通話圏判定手段１ｃは、無線ＬＡＮ経由通話手段１ａから、無線ＬＡＮ２のアクセスポイント２ａからの電波の強度を示す無線ＬＡＮ電波強度情報を取得し、無線ＬＡＮ電波強度情報の値が所定値（予め設定された閾値）以上となることで無線ＬＡＮ２の通話圏内に入ったことを判定する。
【００１９】
電池管理回路１ｄは、電池を管理する。具体的には、電池管理回路１ｄは、電池残量を測定し、数値化する。そして、電池管理回路１ｄは、電池残量を示す値を電池残量情報として出力する。
【００２０】
通信回線選択手段１ｅは、無線ＬＡＮ通話圏判定手段１ｃで無線ＬＡＮ２の通話圏内へ入ったと判定されると電池管理回路１ｄから電池残量を示す電池残量情報を取得する。そして、通信回線選択手段１ｅは、電池残量情報が所定値以上であれば、着信時の通信回線として無線ＬＡＮ２経由の通信回線を選択する。
【００２１】
転送設定要求手段１ｆは、通信回線選択手段１ｅにおいて無線ＬＡＮ２経由の通信回線が選択された場合、無線電話網３経由の通信用の電話番号に対する着信を無線ＬＡＮ２経由の通信回線に転送させるための転送設定要求を、回線転送設定を管理する装置（図１の例では、電話交換機３ｂに対して出力する。
【００２２】
このような移動体端末制御プログラムによれば、移動体端末装置１が無線ＬＡＮの通話圏内に入ると、無線ＬＡＮ通話圏判定手段１ｃにより、無線ＬＡＮ経由通話手段１ａから無線ＬＡＮ電波強度情報が取得され、無線ＬＡＮ電波強度情報が所定値以上となることで無線ＬＡＮ２の通話圏内に入ったことが判定される。すると、通信回線選択手段１ｅにより、電池を管理する電池管理回路１ｄから電池残量を示す電池残量情報が取得され、電池残量情報に基づいて、着信時の通信回線が選択される。そして、通信回線選択手段１ｅにおいて無線ＬＡＮ２経由の通信回線が選択された場合、転送設定要求手段１ｆにより、無線電話網３経由の通信用の電話番号に対する着信を無線ＬＡＮ２経由の通信回線に転送させるための転送設定要求が、回線転送設定を管理する装置（例えば、電話交換機３ｂ）に対して出力される（ステップＳ１）。
【００２３】
電話交換機３ｂでは、転送設定要求に応じて、無線電話網経由通話手段１ｂの電話番号「XXX-XXX-XXXX」宛の発信を、無線ＬＡＮ経由通話手段１ａの電話番号「YYY-YYY-YYYY」に転送するように内部で設定する。すると、例えば、移動体端末装置４から電話番号「XXX-XXX-XXXX」宛の発信が行われると、電話交換機３ｂによって通信回線の転送が行われ、無線ＬＡＮ経由通話手段１ａへの呼出が行われる（ステップＳ２）。
【００２４】
これにより、無線ＬＡＮの電波状況と電池残量とに基づいて、着信の通信回線として適切な通信回線を選択することができる。即ち、無線ＬＡＮ２の圏内に入った場合、それ以降、無線ＬＡＮ２経由の着信を受け付けることが可能である。但し、無線ＬＡＮ２による通話時の消費電力は、携帯電話やＰＨＳ等の無線電話による通話時の消費電力より大きい。そのため、電池残量が少ない場合にまで無線ＬＡＮ２での待ち受けを行うと、無線電話で通話した場合に比べ通話可能時間が短くなり、電池の充電（または電池交換）前に電池切れとなる可能性が高くなる。そこで、無線ＬＡＮの通話圏内に入ったとしても、電池残量が少ない場合には無線ＬＡＮへの転送を行わずに無線電話網経由で着信を受け付けることで、次に充電するまでの通話可能時間の長期化が図れる。
【００２５】
以下、無線電話の一例として携帯電話を利用した場合を想定し、実施の形態の詳細について説明する。
なお、図１には着信時の通信回線選択技術が示されているが、本実施の形態では、発信時も同様に、無線ＬＡＮの電波強度や電池残量に基づいて使用する通信回線を移動体端末装置が自動的に選択することができる。
【００２６】
また、本実施の形態の移動体情報端末装置では、通信回線の選択方針を示すユーザモードを、ユーザが任意に指定することができる。具体的には、本実施の形態では、ユーザがあらかじめ設定したユーザモードを、通信回線選択時の第一優先の判断基準とする。ユーザモードとして、携帯固定モード（携帯電話のみ、無線ＬＡＮへの切り替え無し）、携帯優先モード（携帯が圏外になったら無線ＬＡＮに切り替え）、無線ＬＡＮ優先モード（無線ＬＡＮの電波を検知したらその時点で切り替え）が用意される。
【００２７】
また、本実施の形態の移動体情報端末装置では、無線ＬＡＮ圏内移動後、端末が受信する電波強度を、通信回線選択時の第２優先の判断基準とする。例えば、無線ＬＡＮのアクセスポイントからの電波強度が-100dbm未満の場合、電波が弱すぎるので無線ＬＡＮは使用しない。一方、無線ＬＡＮのアクセスポイントからの電波強度が-100dbm以上であれば、無線ＬＡＮを経由した通信回線を使用する。
【００２８】
さらに、発信時には、所定期間（例えば、料金の計算単位となる期間）内での現在の通話料金に応じた通信回線の選択を行うことができる。この場合、基本的に、携帯優先モードで、かつ携帯の電波が十分に受けられる（例えば、画面に表示する棒の数で電波強度を示す携帯電話機において、少なくとも１本の棒が表示される状態）場合は、無線ＬＡＮ側への転送設定は行わない。但し、携帯の通話料金の最高額をあらかじめ設定しておき、その額を超えた場合には、無線ＬＡＮ経由の通信回線で発信する。例えば、今月の累積通話料金が所定の金額（例えば、10,000円）以上となると、無線ＬＡＮ経由の通信回線を使用する。
【００２９】
電池容量による通信回線の判断は、無線ＬＡＮ優先モードの場合、および携帯優先モードではあるが基地局からの電波が微弱な場合に行う。すなわち、一般的に無線ＬＡＮモードの方が携帯モードより電力を消費する。そのため、ユーザモードが無線ＬＡＮ優先モードであっても、電池残量が少なければ、携帯電話網を介した通信回線を使用する。また、ユーザモード設定が携帯優先モードだが、携帯電波が微弱（例えば、電波は受信できているが電波強度を示す棒の数が０本）な状態の場合、携帯電話網経由での安定した通信が困難である。そこで、この場合、無線ＬＡＮ電波が十分に確保でき、電池容量が十分にあれば、無線ＬＡＮを経由した通信回線を使用する。
【００３０】
図２は、本実施の形態のシステム構成例を示す図である。本実施の形態では、通話が可能な通信媒体として、無線ＬＡＮを含むインターネット２１と携帯電話網２２とが設けられている。なお、移動体端末装置１００，１００ａ，１００ｂは、無線ＬＡＮを経由したＶｏＩＰによる通話機能と、携帯電話網２２を経由した通話機能とを兼ね備えている。
【００３１】
インターネット２１には、モバイルＩＰホームエージェント２３が接続されている。モバイルＩＰホームエージェント２３は、移動体端末装置１００，１００ａ，１００ｂの現在のＩＰアドレス等を管理しており、移動体端末装置１００，１００ａ，１００ｂに対して送信されるＶｏＩＰのパケットを中継して、移動体端末装置１００，１００ａ，１００ｂの現在のＩＰアドレスに変換して送信する。
【００３２】
また、インターネット２１には、企業内無線ＬＡＮエリア３０内に配置された無線ＬＡＮコントローラ３１や、マンション内無線ＬＡＮエリア４０内に配置された無線ＬＡＮコントローラ４１が接続されている。さらに、インターネット２１には、センタ５０に配置されたＳＩＰ(Session Initiation Protocol)サーバ５１とプレゼンス管理サーバ５２とが接続されている。ＳＩＰサーバ５１は、インターネット２１を介したＳＩＰによる通信を管理する。ＳＩＰとは、ＶｏＩＰにおける一連の通信をセッションとし、その設定、解放、制御等を行うための通信プロトコルである。プレゼンス管理サーバ５２は、移動体端末装置１００，１００ａ，１００ｂからの要求に応じて、電話交換機２４に対して、着信時の通話回線の転送を設定するための信号（例えば、ＰＢ（Push Button）信号）を送信する。
【００３３】
携帯電話網２２には、電話交換機２４が設けられている。電話交換機２４は、移動体端末装置１００，１００ａ，１００ｂ同士の回線の接続を行う。なお、電話交換機２４は、携帯電話網２２での電話番号宛の発呼を、予め設定された電話番号へ自動転送する機能を有している。また、携帯電話網２２には、基地局２５，２６が設けられている。基地局２５，２６は、移動体端末装置１００，１００ａ，１００ｂとの間で無線通信を行う。
【００３４】
企業内無線ＬＡＮエリア３０には、無線ＬＡＮコントローラ３１に接続された複数のアクセスポイント３２，３３が設けられている。アクセスポイント３２，３３は、企業内無線ＬＡＮエリア３０に入った移動体端末装置１００との間で無線通信を行う。
【００３５】
マンション内無線ＬＡＮエリア４０には、無線ＬＡＮコントローラ４１に接続された複数のアクセスポイント４２，４３が設けられている。アクセスポイント４２，４３は、マンション内無線ＬＡＮエリア４０に入った移動体端末装置１００ａとの間で無線通信を行う。
【００３６】
このようなシステム構成により、移動体端末装置１００，１００ａ，１００ｂ間でのインターネット２１経由のＶｏＩＰによる通話、または携帯電話網２２経由の通話が可能となる。しかも、移動体端末装置１００，１００ａ，１００ｂが通話に使用する回線が自動的に選択される。
【００３７】
なお、各移動体端末装置１００，１００ａ，１００ｂへの着信時に使用する回線は、移動体端末装置１００，１００ａ，１００ｂからの要求に応じて電話交換機２４に予め設定される。
【００３８】
以下に、移動体端末装置１００による着信時の転送設定手順を説明する。
図３は、着信回線設定処理を示す概念図である。図３の例では、移動体端末装置１００を使用するユーザ６１が企業内無線ＬＡＮエリア３０内に入ったときの設定手順を示している。
【００３９】
［ステップＳ１１］ユーザ６１は移動体端末装置１００を操作し、予め転送先となる無線ＬＡＮ経由の電話番号を、電話交換機２４に設定する。この登録作業は、携帯電話網２２経由で行うことができる。例えば、ユーザ６１は、携帯電話網２２を管理する業者が定めた電話番号に、移動体端末装置１００から電話をかける。すると、携帯電話網２２を管理する業者における各種環境設定方法を説明する音声ガイドが流れる。ユーザ６１は、音声ガイドに従って移動体端末装置１００を操作し、無線ＬＡＮ経由で通話を行う際の電話番号を入力する。入力された電話番号は、移動体端末装置１００の携帯電話網２２における電話番号に対応付けて、電話交換機２４に登録される。
【００４０】
［ステップＳ１２］その後、ユーザ６１が移動体端末装置１００を持って企業内無線ＬＡＮエリア３０内に移動する。
［ステップＳ１３］すると、移動体端末装置１００は、無線ＬＡＮのアクセスポイント３２，３３を検知し、転送設定処理を実行する。転送設定処理では、まず、着信に使用する回線が特定される。具体的には、移動体端末装置１００は、無線ＬＡＮの電波状態、電池残量等を考慮して、無線ＬＡＮ経由で着信を受け付けるか否かを判断する。そして、移動体端末装置１００は、無線ＬＡＮ経由で着信を受け付けると判断した場合、転送設定要求を、無線ＬＡＮ経由でプレゼンス管理サーバ５２宛てに送信する。
【００４１】
なお、転送設定要求を送信した場合、移動体端末装置１００では無線ＬＡＮでの着信の待ち受けを行い、携帯電話網での待ち受け機能を停止させておくことができる。
［ステップＳ１４］プレゼンス管理サーバ５２は、転送設定要求を受け取ると、電話交換機２４にアクセスし、転送設定を「ＯＮ」にする設定変更処理を行う。例えば、プレゼンス管理サーバ５２は、モデム経由で電話交換機２４にアクセスする。そして、プレゼンス管理サーバ５２は、移動体端末装置１００に対応する転送設定用のフラグを「ＯＮ」に変更させる指示を示す信号（例えば、所定の順番のＰＢ信号）を、電話交換機２４に対して送信する。電話交換機２４では、移動体端末装置１００の電話番号に対応する転送設定のフラグを「ＯＮ」に設定する。
【００４２】
このようにして、移動体端末装置１００が無線ＬＡＮのエリアに入ると、自動的に着信時の通話が、無線ＬＡＮ経由のＶｏＩＰによる通話となるように設定を変更することができる。これにより、移動体端末装置１００が無線ＬＡＮのエリア内にある間は、移動体端末装置１００の携帯電話網での電話番号宛の着信は、無線ＬＡＮ経由で移動体端末装置１００に接続される。
【００４３】
以下に、着信時の転送設定完了後の移動体端末装置１００に対して電話をかけた場合の処理を説明する。
図４は、着信時の回線接続処理を示す図である。図４には、ユーザ６２が、移動体端末装置１００ｂを用いて移動体端末装置１００に電話をかけた場合の例が示されている。
【００４４】
［ステップＳ２１］ユーザ６２が移動体端末装置１００ｂを用いて、移動体端末装置１００の携帯電話番号に発信する。すると、発信された携帯電話番号が電話交換機２４に渡される。
【００４５】
［ステップＳ２２］電話交換機２４は、発信された携帯電話番号に対応する転送設定フラグの値を確認する。転送設定フラグが「ＯＮ」であれば、電話交換機２４はＳＩＰサーバ５１に対して、無線ＬＡＮ経由での移動体端末装置１００の呼びだしを依頼する。
【００４６】
［ステップＳ２３］無線ＬＡＮ経由での呼びだしの依頼を受けたＳＩＰサーバ５１は、移動体端末装置１００を呼び出す。ユーザ６１が呼びだしに応じると、移動体端末装置１００と移動体端末装置１００ｂとの間で、無線ＬＡＮを経由したＶｏＩＰの通信回線が接続される。
【００４７】
［ステップＳ２４］転送設定フラグが「ＯＦＦ」であれば、電話交換機２４は、携帯電話網２２経由で移動体端末装置１００の呼びだしを行う。ユーザ６１が呼びだしに応じると、移動体端末装置１００と移動体端末装置１００ｂとの間で、携帯電話網２２を経由した通信回線が接続される。
【００４８】
このようにして、移動体端末装置１００で指定した回線を、着信時の通信回線として使用することができる。以下、このような通話回線の転送設定を行うための移動体端末装置１００に機能について詳細に説明する。
【００４９】
図５は、移動体端末装置のハードウェア構成を示す図である。移動体端末装置１００は、制御回路１１０によって全体が制御される。制御回路１１０には、無線ＬＡＮ通信回路１０１、無線電話通信回路１０２、マイクロホン１０３、スピーカ１０４、入力キー１０５、モニタ１０６およびメモリ１０７が接続されている。
【００５０】
無線ＬＡＮ通信回路１０１は、アンテナ１０１ａを介して、無線ＬＡＮアクセスポイントとの間で無線によるデータ通信を行う。無線電話通信回路１０２は、アンテナ１０１ｂを介して、携帯電話網の基地局との間で無線によるデータ通信を行う。
【００５１】
マイクロホン１０３は、ユーザから入力された音声を、制御回路１１０に渡す。スピーカ１０４は、制御回路１１０から出力された音声データに基づいて音声を出力する。
入力キー１０５は、テンキー等の複数のキーで構成されており、ユーザによって押下されたキーに応じた信号を制御回路１１０に渡す。モニタ１０６は、例えば、液晶表示装置であり、制御回路１１０から送られた画像データを表示する。
【００５２】
メモリ１０７は、制御回路１１０で実行する処理内容を記述したプログラム、処理に必要なデータ等を記憶する。なお、メモリ１０７に格納されるプログラムには、インターネット２１経由で取得したＪａｖａ（登録商標）アプレット等のプログラムも含まれる。
【００５３】
次に、このようなハードウェア構成の移動体端末装置１００において実現される機能を説明する。
図６は、移動体端末装置の機能を示すブロック図である。移動体端末装置１００は、無線ＬＡＮ通信部１１１、無線電話通信部１１２、音声入出力部１１３、通話切替部１１４、ネットワーク接続部１１５、モバイルＩＰフォーリンエージェント（ＦＡ）１１６、メディア監視部１１７、ＶｏＩＰ制御部１１８、通話料金管理部１１９、および電池残量管理部１２０を有している。これらの各機能は、制御回路１１０が他の周辺機器を制御することによって実現される機能である。
【００５４】
無線ＬＡＮ通信部１１１は、無線ＬＡＮやインターネット２１経由で通信を行う。また、無線ＬＡＮ通信部１１１は、ＳＩＰサーバ５１によってインターネット２１経由の回線が接続された場合、無線ＬＡＮとインターネット２１とを介したＶｏＩＰによる通信を行う。
【００５５】
無線電話通信部１１２は、携帯電話網２２経由で通信を行う。また、無線電話通信部１１２は、電話交換機２４によって他の移動体端末装置１００ｂとの間の回線が接続された場合、携帯電話網２２経由の通信を行う。
【００５６】
音声入出力部１１３は、マイクロホン１０３からの音声入力やスピーカ１０４への音声出力を制御する。具体的には、音声入出力部１１３は、マイクロホン１０３から入力された音声信号をデジタル信号に変換し、通話切替部１１４に渡す。また、音声入出力部１１３は、通話切替部１１４から音声データを受け取ると、アナログの音声信号に変えてスピーカ１０４から音声を出力する。
【００５７】
通話切替部１１４は、ユーザからの通話要求によりＶｏＩＰ制御部１１８の起動や電話のダイヤリングを行う。また、通話切替部１１４は、無線ＬＡＮと無線電話とのそれぞれの回線の状態に応じた通話の切替を行う。切替の指示は、ネットワーク接続部１１５から渡される。
【００５８】
通信回線として無線ＬＡＮ経由の回線が選択された場合、通話切替部１１４は、ＶｏＩＰ制御部１１８との間で音声データの入出力を行う。また、通信回線として携帯電話網２２経由の回線が選択された場合、通話切替部１１４は、無線電話通信部１１２との間で音声データの入出力を行う。
【００５９】
ネットワーク接続部１１５は、ユーザモード情報１１５ａと通話料金制限値１１５ｂとを有している。ユーザモード情報１１５ａには、通信回線を選択するための判断基準が設定される。具体的には、ユーザモード情報１１５ａには、通信回線を携帯電話網に固定するか否か、携帯電話網に固定しない場合、無線ＬＡＮ経由の通信回線を優先するのか、携帯電話網経由の通信回線を優先するのかが設定される。なお、ネットワーク接続部１１５は、ユーザからの操作入力に応じて、ユーザモード情報１１５ａの内容を変更する。
【００６０】
通話料金制限値１１５ｂは、ユーザが設定した携帯電話の通話料金の所定期間の限度額である。ネットワーク接続部１１５は、所定期間の通話料金が通話料金制限値を超えた場合、それ以後の発信時には、無線ＬＡＮ経由の通信を優先する。なお、ネットワーク接続部１１５は、ユーザからの操作入力に応じて、通話料金制限値１１５ｂの内容を変更する。
【００６１】
ネットワーク接続部１１５は、発信時にユーザモード情報１１５ａの設定内容を参照し、メディア監視部１１７からの監視情報に応じて、通話に使用する回線を選択する。選択した回線の種別は、通話切替部１１４に通知される。また、ネットワーク接続部１１５は、無線ＬＡＮ通信部１１１と無線電話通信部１１２とに対して、動作指示を与える。例えば、着呼の待ち受け状態での待機指示、動作停止の指示、あるいは、起動指示が出される。
【００６２】
さらに、ネットワーク接続部１１５は、メディア監視部１１７から無線ＬＡＮエリアに入ったことを示す通知を受け取ると、着信時の通信回線を無線ＬＡＮとするか否かの判定処理を行う。その際、ネットワーク接続部１１５は、メディア監視部１１７から通話料金、電池残量、無線ＬＡＮの電波状態、および携帯電話網の電話状態等の情報を取得し、取得した情報に基づく判定判定処理を行う。そして、ネットワーク接続部１１５は、着信の通信回線として無線ＬＡＮ経由の通信回線を選択した場合、転送設定要求をプレゼンス管理サーバ５２に対して送信する。
【００６３】
モバイルＩＰＦＡ（フォーリンエージェント）１１６は、ＬＡＮ接続のローミングをサポートする。すなわち、モバイルＩＰＦＡ１１６は、ネットワーク側のモバイルＩＰホームエージェント２３と連携し、ＬＡＮ接続時のセッション維持を行う。具体的には、モバイルＩＰＦＡ１１６は、モバイルＩＰホームエージェント２３に対して、無線ＬＡＮを介したネットワーク上の自分の位置を通知する。自分の位置としては、通信可能な無線ＬＡＮアクセスポイントの識別情報等が用いられる。
【００６４】
なお、モバイルＩＰＦＡ１１６と図２に示すモバイルＩＰホームエージェント２３とによるインターネット上での端末の移動を透過的に行えるようにする仕組みは、インターネット関連の標準化団体ＩＥＴＦ（Internet Engineering Task Force）で標準化されている（ＲＦＣ２００２）。これにより、異なるサブネットに移動しても、元のＩＰアドレスを使用できるようになる。
【００６５】
メディア監視部１１７は、ネットワークメディアの状態を監視する。すなわち、メディア監視部１１７は、無線ＬＡＮ通信部１１１、無線電話通信部１１２、通話領域管理部１１９、および電池残量管理部１２０の状態を監視し、それぞれの通信回線の状態をネットワーク接続部１１５に渡す。具体的には、メディア監視部１１７は、無線ＬＡＮ通信部１１１から無線ＬＡＮの電波状態を示す情報を受け取り、無線電話通信部１１２から携帯電話網の電波状態を示す情報を受け取り、通話料金管理部１１９から現在の通話料金の情報を受け取り、電池残量管理部１２０から電池残量を示す情報を受け取る。
【００６６】
ＶｏＩＰ制御部１１８は、無線ＬＡＮ通信部１１１を介したデータ通信上で、ＶｏＩＰによる音声データの通信を行う。具体的には、ＶｏＩＰ制御部１１８は、通話切替部１１４から音声データを受け取ると、ＶｏＩＰに従ったパケットを生成して無線ＬＡＮ通信部１１１に渡す。また、ＶｏＩＰ制御部１１８は、無線ＬＡＮ通信部１１１からＶｏＩＰによるパケットを受け取ると、元の音声データを再現して、通話切替部１１４に渡す。
【００６７】
通話料金管理部１１９は、移動体端末装置１００を使用することによる無線電話での通話料金を管理する。例えば、通話料金管理部１１９は、単位通話時間当たりの料金に、所定期間の総通話時間を乗算することで通話料金を計算し、メモリ１０７に格納する。
【００６８】
電池残量管理部１２０は、移動体端末装置１００の電池残量を監視している。そして、電池残量管理部１２０は、メディア監視部１１７からの要求に応答して、電池残量を示す数値（例えば、満充電に対する電池残量のパーセンテージ）をメディア監視部１１７に通知する。
【００６９】
このような機能の移動体端末装置１００によって、着信時に使用する通信回線の自動設定が行われる。以下、着信回線判断処理について詳細に説明する。
図７は、着信回線判断処理手順を示すフローチャートである。以下、図７に示す処理をステップ番号に沿って説明する。
【００７０】
［ステップＳ３１］ネットワーク接続部１１５は、メディア監視部１１７から無線ＬＡＮ配下に移動したことを示す情報を受け取ると、ユーザモード情報１１５ａを取得する。
［ステップＳ３２］ネットワーク接続部１１５は、ユーザモード情報１１５ａにおいて、携帯電話網２２を固定的に使用する旨の設定がされているか否かを判定する。携帯電話網２２の固定使用であれば、転送設定要求を出力せずに処理が終了する。携帯電話網２２の固定使用でなければ、処理がステップＳ３３に進められる。
【００７１】
［ステップＳ３３］ネットワーク接続部１１５は、ユーザモード情報１１５ａにおいて、無線ＬＡＮを優先的に使用する旨の設定がされているか否かを判定する。無線ＬＡＮの優先使用が設定されていれば、処理がステップＳ３９に進められる。無線ＬＡＮの優先使用が設定されていなければ、ネットワーク接続部１１５は、携帯電話網２２を優先的に使用する旨の設定であると判定し、処理をステップＳ３４に進める。
【００７２】
［ステップＳ３４］ネットワーク接続部１１５は、メディア監視部１１７から携帯電話網２２における基地局からの電波強度を示す情報を取得する。
［ステップＳ３５］ネットワーク接続部１１５は、携帯電話網２２の良好な通話圏内か否かを判定する。具体的には、ネットワーク接続部１１５は、携帯電話網２２の基地局からの電波の強度を示すレベルが、良好な通話が可能なレベル以上であれば良好な通話圏内と判定する。携帯電話網２２の良好な通話圏内であれば、転送設定要求を出力せずに処理が終了する。携帯電話網２２の良好な通話圏外であれば、処理がステップＳ３６に進められる。
【００７３】
［ステップＳ３６］ネットワーク接続部１１５は、ステップＳ３５で良好な通話圏外と判定された場合、携帯電話網２２の基地局から微弱ながらも電波が届いているか否かを判断する。微弱な電波が届いていれば、処理がステップＳ３９に進められる。全く電波が届いていなければ、処理がステップＳ３７に進められる。
【００７４】
［ステップＳ３７］ネットワーク接続部１１５は、携帯電話網２２の基地局からの電波が全く届いていない場合、メディア監視部１１７から無線ＬＡＮにおけるアクセスポイントからの電波強度を示す情報を取得する。
【００７５】
［ステップＳ３８］ネットワーク接続部１１５は、無線ＬＡＮの通信圏内か否かを判定する。具体的には、ネットワーク接続部１１５は、無線ＬＡＮのアクセスポイントからの電波の強度を示すレベルが、通話可能な最低のレベル（例えば-100dBm）以上であれば通信圏内と判定する。無線ＬＡＮの通信圏内であれば、処理がステップＳ４３に進められる。無線ＬＡＮの通信圏外であれば、転送設定要求を出力せずに処理が終了する。
【００７６】
［ステップＳ３９］ネットワーク接続部１１５は、メディア監視部１１７から無線ＬＡＮにおけるアクセスポイントからの電波強度を示す情報を取得する。
［ステップＳ４０］ネットワーク接続部１１５は、無線ＬＡＮの通信圏内か否かを判定する。具体的には、ネットワーク接続部１１５は、無線ＬＡＮのアクセスポイントからの電波の強度を示すレベルが、通話可能な最低のレベル（例えば-100dB）以上であれば通信圏内と判定する。無線ＬＡＮの通信圏内であれば、処理がステップＳ４１に進められる。無線ＬＡＮの通信圏外であれば、転送設定要求を出力せずに処理が終了する。
【００７７】
［ステップＳ４１］ネットワーク接続部１１５は、メディア監視部１１７から電池残量を示す情報を取得する。
［ステップＳ４２］ネットワーク接続部１１５は、電池残量が所定値（予め設定されている閾値）以上か否かを判断する。例えば、ネットワーク接続部１１５は、所定値として満充電の３分の１と設定されていた場合、電池残量が満充電の３分の１以上あるか否かを判断する。電池残量が所定値以上であれば、処理がステップＳ４３に進められる。電池残量が所定値未満であれば、転送設定要求を出力せずに処理が終了する。
【００７８】
［ステップＳ４３］ネットワーク接続部１１５は、無線ＬＡＮへの転送設定要求をプレゼンス管理サーバ５２に対して送信する。その後、処理が終了する。
このようにして、ユーザモード情報、携帯電話網の電波強度、無線ＬＡＮの電波強度、および電池残量に応じて、転送設定を行うか否かが判断される。即ち、携帯通信網経由での通話に固定されていれば、転送設定は行われない。携帯通信網優先であれば、携帯電話網の圏外であるが携帯電話網の電波が微弱ながら届いており、無線ＬＡＮの圏内であり、なおかつ電池残量が所定値以上ある場合、および携帯電話網の電波が届いておらず無線ＬＡＮの圏内の場合に、転送設定要求が出力される。また、無線ＬＡＮ優先であれば、無線ＬＡＮの圏内であり、なおかつ電池残量が所定値以上ある場合に、転送設定要求が出力される。
【００７９】
転送設定要求が出力されることにより、プレゼンス管理サーバ５２によって電話交換機２４に対して転送設定を指示する信号が出力される。電話交換機２４では、移動体端末装置１００の携帯電話番号に対する発信を受けた際に、移動体端末装置１００の無線ＬＡＮ経由のＶｏＩＰによる呼びだしを行う。その結果、移動体端末装置１００の携帯電話番号への発信が行われたのにも拘わらず、無線ＬＡＮ経由で通話することができる。
【００８０】
なお、移動体端末装置１００が無線ＬＡＮの圏外に出た場合、ネットワーク接続部１１５は、メディア監視部１１７からの無線ＬＡＮの電波強度に基づいて圏外に出たことを認識する。すると、ネットワーク接続部１１５は、プレゼンス管理サーバ５２に対して、転送設定解除要求を送信する。プレゼンス管理サーバ５２は、転送設定解除要求に応答して、電話交換機２４に対する転送設定の解除指示の信号（例えば、所定の順番のＰＢ信号）を出力する。これにより、転送設定が自動的に解除される。
【００８１】
なお、移動体端末装置１００では、転送設定要求を送信した場合、無線ＬＡＮ通信部１１１による無線ＬＡＮ経由の着信待ち受け機能を起動し、無線電話通信部１１２による携帯電話網経由の着信待ち受け機能を停止しておくことができる。また、移動体端末装置１００では、転送設定解除要求を送信した場合、無線電話通信部１１２による携帯電話網経由の着信待ち受け機能を起動し、無線ＬＡＮ通信部１１１による無線ＬＡＮ経由の着信待ち受け機能を停止させておくことができる。このように、一方の通信回線による着信待ち受け機能を停止しておくことで、待ち受け時の消費電力を少なくすることができる。
【００８２】
また、移動体端末装置１００から信号を発信する場合、移動体端末装置１００においてどの回線を使用して発信するのかを自動的に決定し、決定した回線経由で発信を行う。
図８は、発信回線判断処理手順を示すフローチャートである。以下、図８に示す処理をステップ番号に沿って説明する。
【００８３】
［ステップＳ５１］ネットワーク接続部１１５は、ユーザから発信の操作入力を受け取ると、ユーザモード情報１１５ａを取得する。
［ステップＳ５２］ネットワーク接続部１１５は、ユーザモード情報１１５ａにおいて、携帯電話網２２を固定的に使用する旨の設定がされているか否かを判定する。携帯電話網２２の固定使用であれば、処理がステップＳ５３に進められる。携帯電話網２２の固定使用でなければ、処理がステップＳ５４に進められる。
【００８４】
［ステップＳ５３］ネットワーク接続部１１５は、発信に使用する回線を携帯電話網２２経由の回線に決定し、通話切替部１１４に対して無線電話の通話に切り換えるように指示を出す。これにより、無線電話通信部１１２によって、携帯電話網２２経由の無線電話による発信が行われる。その後、処理が終了する。
【００８５】
［ステップＳ５４］ネットワーク接続部１１５は、ユーザモード情報１１５ａにおいて、無線ＬＡＮを優先的に使用する旨の設定がされているか否かを判定する。無線ＬＡＮの優先使用が設定されていれば、処理がステップＳ６０に進められる。無線ＬＡＮの優先使用が設定されていなければ、ネットワーク接続部１１５は、携帯電話網２２を優先的に使用する旨の設定であると判定し、処理をステップＳ５５に進める。
【００８６】
［ステップＳ５５］ネットワーク接続部１１５は、携帯電話網２２の良好な通話圏内か否かを判定する。具体的には、ネットワーク接続部１１５は、携帯電話網２２の基地局からの電波の強度を示すレベルが、通話可能なレベル以上であれば良好な通話圏内と判定する。携帯電話網２２の良好な通話圏内であれば、処理がステップＳ５６に進められる。携帯電話網２２の良好な通話圏外であれば、処理がステップＳ６４に進められる。
【００８７】
［ステップＳ５６］ネットワーク接続部１１５は、通話料金制限値１１５ｂに通話領域の制限値が設定されているか否かを判定する。制限値が設定されていれば、処理がステップＳ５８に進められる。制限値が設定されていなければ、処理がステップＳ５７に進められる。
【００８８】
［ステップＳ５７］ネットワーク接続部１１５は、携帯優先であり、かつ通話料金の制限値が設定されていなければ、発信に使用する回線を携帯電話網２２経由の回線に決定し、通話切替部１１４に対して無線電話の通話に切り換えるように指示を出す。これにより、無線電話通信部１１２によって、携帯電話網２２経由の無線電話による発信が行われる。その後、処理が終了する。
【００８９】
［ステップＳ５８］ネットワーク接続部１１５は、通話料金制限値が設定されていれば、メディア監視部１１７から現在の通話料金を示す情報を取得する。
［ステップＳ５９］ネットワーク接続部１１５は、現在の通話料金と通話料金制限値とを比較し、通話料金が制限値以上か否かを判断する。制限値未満であれば、処理がステップＳ５７に進められ、携帯電話網２２による発信が行われる。制限値以上であれば、処理がステップＳ６０に進められる。
【００９０】
［ステップＳ６０］ネットワーク接続部１１５は、メディア監視部１１７から無線ＬＡＮの電波強度を示す情報を取得する。
［ステップＳ６１］ネットワーク接続部１１５は、無線ＬＡＮの圏内か否かを判断する。例えば、電波強度が-100dB以上であれば圏内、-100dB未満であれば圏外と判断する。無線ＬＡＮの圏内であれば、処理がステップＳ６２に進められる。無線ＬＡＮの圏外であれば、処理がステップＳ６３に進められる。
【００９１】
［ステップＳ６２］ネットワーク接続部１１５は、発信に使用する回線を無線ＬＡＮ経由の回線に決定し、通話切替部１１４に対して無線ＬＡＮの通話に切り換えるように指示を出す。これにより、無線電話通信部１１２によって、無線ＬＡＮ経由の発信が行われる。その後、処理が終了する。
【００９２】
［ステップＳ６３］ネットワーク接続部１１５は、発信に使用する回線を携帯電話網２２経由の回線に決定し、通話切替部１１４に対して無線電話の通話に切り換えるように指示を出す。これにより、無線電話通信部１１２によって、携帯電話網２２経由の無線電話による発信が行われる。その後、処理が終了する。
【００９３】
［ステップＳ６４］ネットワーク接続部１１５は、ステップＳ５５で良好な通話圏外と判定された場合、携帯電話網２２の基地局から微弱ながらも電波が届いているか否かを判断する。微弱な電波が届いていれば、処理がステップＳ６５に進められる。全く電波が届いていなければ、処理がステップＳ６０に進められ、無線ＬＡＮで発信の可否が判定される。
【００９４】
［ステップＳ６５］ネットワーク接続部１１５は、携帯電話網２２の基地局からの電波が微弱な場合、メディア監視部１１７から無線ＬＡＮの電波強度を示す情報を取得する。
［ステップＳ６６］ネットワーク接続部１１５は、無線ＬＡＮの圏内か否かを判断する。無線ＬＡＮの圏内であれば、処理がステップＳ６７に進められる。無線ＬＡＮの圏外であれば、処理がステップＳ７０に進められる。
【００９５】
［ステップＳ６７］ネットワーク接続部１１５は、メディア監視部１１７から電池残量を示す情報を取得する。
［ステップＳ６８］ネットワーク接続部１１５は、電池残量が予め設定された所定値（例えば、満充電の１／３）以上か否か否かを判断する。所定値以上の電池残量があれば、処理がステップＳ６９に進められる。所定値以上の電池残量が無ければ、処理がステップＳ７０に進められる。
【００９６】
［ステップＳ６９］ネットワーク接続部１１５は、発信に使用する回線を無線ＬＡＮ経由の回線に決定し、通話切替部１１４に対して無線ＬＡＮの通話に切り換えるように指示を出す。これにより、無線電話通信部１１２によって、無線ＬＡＮ経由の発信が行われる。その後、処理が終了する。
【００９７】
［ステップＳ７０］ネットワーク接続部１１５は、発信に使用する回線を携帯電話網２２経由の回線に決定し、通話切替部１１４に対して携帯電話の通話に切り換えるように指示を出す。これにより、無線電話通信部１１２によって、携帯電話網２２経由の無線電話による発信が行われる。その後、処理が終了する。
【００９８】
このようにして、発信の際には、ユーザモード情報、携帯電話網の基地局からの電波強度、無線ＬＡＮのアクセスポイントからの電波強度、および通話料金に基づいて、適当な通信回線を選択することができる。
【００９９】
ところで、図８の例では、ユーザモード情報に無線ＬＡＮ優先と設定されていた場合、電池残量とは無関係に回線選択を行っている。これは、消費電力を少なくすることによる残りの通話可能時間の長期化よりも、通話料金を所定値以下に抑えることを優先した結果である。従って、残りの通話時間の長期化を優先するのであれば、電池残量情報に基づいて、通信回線を選択することができる。
【０１００】
具体的には、ネットワーク接続部１１５において、ステップＳ５４で無線ＬＡＮの優先使用が設定されていると判定した場合、処理をステップＳ６６に進めるように、処理手順を変更する。これにより、ユーザモード情報に無線ＬＡＮ優先と設定されており、無線ＬＡＮ圏内と判定された場合、電池残量が所定値以上であれば通信回線が無線ＬＡＮ経由の回線に決定され、電池残量が所定値未満であれば通信回線が携帯電話網経由の回線に決定される。
【０１０１】
なお、上記の実施の形態では、移動体端末装置において着信時の使用回線の選択を行っているが、プレゼンス管理サーバが着信時の使用回線の選択を行うこともできる。その場合、移動体端末装置１００は無線ＬＡＮの圏内に入ったとき、プレゼンス管理サーバ５２に対して、携帯電話網２２の基地局からの電波状況、無線ＬＡＮのアクセスポイントからの電波状況、および電池残量それぞれを示す情報を送信する。プレゼンス管理サーバ５２は、受け取った情報に基づいて、図７と同様の処理を実行する。なお、プレゼンス管理サーバ５２は、図７のステップＳ４２に対応する処理では、電話交換機２４にアクセスし、転送設定を「ＯＮ」にする設定変更処理を行う。これにより、プレゼンス管理サーバ５２による着信時の使用回線の選択が可能となる。
【０１０２】
また、上記実施の形態では、プレゼンス管理サーバ５２が電話交換機２４に対して、転送設定用の信号を出力しているが、移動体端末装置１００から電話交換機２４に対して転送設定用の信号を出力してもよい。
【０１０３】
また、移動体端末装置１００にＣＰＵを搭載することで、移動体端末装置１００のネットワーク接続部１１５で行われる処理をＣＰＵによって実現することができる。その場合、ネットワーク接続部１１５が有すべき機能の処理内容を記述したプログラムが提供される。そのプログラムをＣＰＵで実行することにより、上記処理機能が移動体端末装置１００上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【０１０４】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから移動体端末装置１００にそのプログラムを転送することもできる。例えば、サーバコンピュータに、Ｊａｖａ（登録商標）アプレットによるプログラムを格納しておき、携帯電話等の移動体端末装置において携帯電話網２２等を介してそのプログラムをダウンロードすることができる。
【０１０５】
プログラムを実行するＣＰＵは、例えば、可搬型記録媒体に記録されたプログラムもしくはサーバコンピュータから転送されたプログラムを、移動体端末装置１００内の記憶装置に格納する。そして、ＣＰＵは、移動体端末装置１００内の記憶装置からプログラムを読み取り、プログラムに従った処理を実行する。なお、ＣＰＵは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１０６】
（付記１）  無線ＬＡＮ（ローカルエリアネットワーク）を経由した通話機能を有する無線ＬＡＮ経由通話手段と、無線電話網を経由した通話機能を有する無線電話網経由通話手段とを有する移動体端末装置を制御するための移動体端末制御プログラムにおいて、
コンピュータを、
前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上となることで無線ＬＡＮの通話圏内に入ったことを判定する無線ＬＡＮ通話圏判定手段、
前記無線ＬＡＮ通話圏判定手段で無線ＬＡＮの通話圏内へ入ったと判定されると、電池を管理する電池管理回路から電池残量を示す電池残量情報を取得し、前記電池残量情報が所定値以上であれば、着信時の通信回線として無線ＬＡＮ経由の通信回線を選択する通信回線選択手段、
前記通信回線選択手段において前記無線ＬＡＮ経由の通信回線が選択された場合、前記無線電話網経由の通信用の電話番号に対する着信を前記無線ＬＡＮ経由の通信回線に転送させるための転送設定要求を、回線転送設定を管理する装置に対して出力する転送設定要求手段、
として機能させることを特徴とする移動体端末制御プログラム。
【０１０７】
（付記２）  コンピュータを、さらに
無線電話網経由の通信回線を優先するか、無線ＬＡＮ経由の通信回線を優先するかを選択する操作入力を受け付け、選択された通信回線を示すモード情報を記憶するモード管理手段として機能させ、
前記通信回線選択手段は、前記モード情報において無線電話が優先されていた場合、前記無線電話網経由通話手段から、無線電話の基地局からの電波の強度を示す無線電話電波強度情報を取得し、前記無線電話電波強度情報が所定値以上であれば、着信時の通信回線として無線電話網経由の通信回線を選択することを特徴とする付記１記載の移動体端末制御プログラム。
【０１０８】
（付記３）  無線ＬＡＮを経由した通話機能を有する無線ＬＡＮ経由通話手段と、無線電話網を経由した通話機能を有する無線電話網経由通話手段とを有する移動体端末装置を制御するための移動体端末制御プログラムにおいて、
コンピュータを、
電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定する無線ＬＡＮ通話圏判定手段、
前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択する通信回線選択手段、
前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する発信制御手段、
として機能させることを特徴とする移動体端末制御プログラム。
【０１０９】
（付記４）  コンピュータを、さらに
無線電話網経由の通信回線を優先するか、無線ＬＡＮ経由の通信回線を優先するかを選択する操作入力を受け付け、選択された通信回線を示すモード情報を記憶するモード管理手段として機能させ、
前記通信回線選択手段は、前記モード情報において無線電話が優先されていた場合、通話料金を管理する通話料金管理手段から、現在の通話料金を示す通話料金情報を取得し、前記通話料金情報が所定の制限値未満であれば、発信時の通信回線として無線電話網経由の通信回線を選択することを特徴とする付記３記載の移動体端末制御プログラム。
【０１１０】
（付記５）  無線による通話を行う移動体端末装置において、
無線ＬＡＮを経由した通話機能を有する無線ＬＡＮ経由通話手段と、
無線電話網を経由した通話機能を有する無線電話網経由通話手段と、
前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上となることで無線ＬＡＮの通話圏内に入ったことを判定する無線ＬＡＮ通話圏判定手段と、
前記無線ＬＡＮ通話圏判定手段で無線ＬＡＮの通話圏内へ入ったと判定されると、電池を管理する電池管理回路から電池残量を示す電池残量情報を取得し、前記電池残量情報が所定値以上であれば、着信時の通信回線として無線ＬＡＮ経由の通信回線を選択する通信回線選択手段と、
前記通信回線選択手段において前記無線ＬＡＮ経由の通信回線が選択された場合、前記無線電話網経由の通信用の電話番号に対する着信を前記無線ＬＡＮ経由の通信回線に転送させるための転送設定要求を、回線転送設定を管理する装置に対して出力する転送設定要求手段と、
を有することを特徴とする移動体端末装置。
【０１１１】
（付記６）  無線による通話を行う移動体端末装置において、
無線ＬＡＮを経由した通話機能を有する無線ＬＡＮ経由通話手段と、
無線電話網を経由した通話機能を有する無線電話網経由通話手段と、
電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定する無線ＬＡＮ通話圏判定手段と、
前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択する通信回線選択手段と、
前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する発信制御手段と、
を有することを特徴とする移動体端末装置。
【０１１２】
（付記７）  無線ＬＡＮを経由した通話機能を有する無線ＬＡＮ経由通話手段と、無線電話網を経由した通話機能を有する無線電話網経由通話手段とを有する移動体端末装置を、コンピュータにより制御するための移動体端末制御方法において、
無線ＬＡＮ通話圏判定手段が、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上となることで無線ＬＡＮの通話圏内に入ったことを判定し、
通信回線選択手段が、前記無線ＬＡＮ通話圏判定手段で無線ＬＡＮの通話圏内へ入ったと判定されると、電池を管理する電池管理回路から電池残量を示す電池残量情報を取得し、前記電池残量情報が所定値以上であれば、着信時の通信回線として無線ＬＡＮ経由の通信回線を選択し、
転送設定要求手段が、前記通信回線選択手段において前記無線ＬＡＮ経由の通信回線が選択された場合、前記無線電話網経由の通信用の電話番号に対する着信を前記無線ＬＡＮ経由の通信回線に転送させるための転送設定要求を、回線転送設定を管理する装置に対して出力する、
ことを特徴とする移動体端末制御方法。
【０１１３】
（付記８）  無線ＬＡＮを経由した通話機能を有する無線ＬＡＮ経由通話手段と、無線電話網を経由した通話機能を有する無線電話網経由通話手段とを有する移動体端末装置を、コンピュータにより制御するための移動体端末制御方法において、
無線ＬＡＮ通話圏判定手段が、電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定し、
通信回線選択手段が、前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択し、
発信制御手段が、前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する、
ことを特徴とする移動体端末制御方法。
【０１１４】
（付記９）  無線ＬＡＮを経由した通話機能を有する無線ＬＡＮ経由通話手段と、無線電話網を経由した通話機能を有する無線電話網経由通話手段とを有する移動体端末装置を制御するための移動体端末制御プログラムを記録したコンピュータ読み取り可能な記録媒体において、
コンピュータを、
前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上となることで無線ＬＡＮの通話圏内に入ったことを判定する無線ＬＡＮ通話圏判定手段、
前記無線ＬＡＮ通話圏判定手段で無線ＬＡＮの通話圏内へ入ったと判定されると、電池を管理する電池管理回路から電池残量を示す電池残量情報を取得し、前記電池残量情報が所定値以上であれば、着信時の通信回線として無線ＬＡＮ経由の通信回線を選択する通信回線選択手段、
前記通信回線選択手段において前記無線ＬＡＮ経由の通信回線が選択された場合、前記無線電話網経由の通信用の電話番号に対する着信を前記無線ＬＡＮ経由の通信回線に転送させるための転送設定要求を、回線転送設定を管理する装置に対して出力する転送設定要求手段、
として機能させることを特徴とする移動体端末制御プログラムを記録したコンピュータ読み取り可能な記録媒体。
【０１１５】
（付記１０）  無線ＬＡＮを経由した通話機能を有する無線ＬＡＮ経由通話手段と、無線電話網を経由した通話機能を有する無線電話網経由通話手段とを有する移動体端末装置を制御するための移動体端末制御プログラムを記録したコンピュータ読み取り可能な記録媒体において、
コンピュータを、
電話番号の発信の操作入力が行われると、前記無線ＬＡＮ経由通話手段から、無線ＬＡＮのアクセスポイントからの電波の強度を示す無線ＬＡＮ電波強度情報を取得し、前記無線ＬＡＮ電波強度情報が所定値以上か否かにより無線ＬＡＮの通話圏内か否かを判定する無線ＬＡＮ通話圏判定手段、
前記無線ＬＡＮ通話圏判定手段で無線ＬＡＮの通話圏内と判定されると、電池を管理する電池管理回路から電池残量を示す電池残量情報を取得し、前記電池残量情報が所定値以上であれば、発信時の通信回線として無線ＬＡＮ経由の通信回線を選択し、電池残量情報が所定値未満であれば、発信時の通信回線として無線電話網経由の通信回線を選択する通信回線選択手段、
前記通信回線選択手段において前記無線電話網経由の通信回線が選択された場合、前記無線電話網経由通話手段に対して発信を指示し、前記無線ＬＡＮ経由の通信回線が選択された場合、前記無線ＬＡＮ経由通話手段に対して発信を指示する発信制御手段、
として機能させることを特徴とする移動体端末制御プログラムを記録したコンピュータ読み取り可能な記録媒体。
【図面の簡単な説明】
【０１１６】
【図１】実施の形態の概略を示す図である。
【図２】本実施の形態のシステム構成例を示す図である。
【図３】着信回線設定処理を示す概念図である。
【図４】着信時の回線接続処理を示す図である。
【図５】移動体端末装置のハードウェア構成を示す図である。
【図６】移動体端末装置の機能を示すブロック図である。
【図７】着信回線判断処理手順を示すフローチャートである。
【図８】発信回線判断処理手順を示すフローチャートである。
【符号の説明】
【０１１７】
１  移動体端末装置
１ａ  無線ＬＡＮ経由通話手段
１ｂ  無線電話網経由通話手段
１ｃ  無線ＬＡＮ通話圏判定手段
１ｄ  電池管理回路
１ｅ  通信回線選択手段
１ｆ  転送設定要求手段
２  無線ＬＡＮ
２ａ  アクセスポイント
３  無線電話網
３ａ  基地局
４  移動体端末装置
【図１】
2006180174.tif 000003
【図２】
2006180174.tif 000004
【図３】
2006180174.tif 000005
【図４】
2006180174.tif 000006
【図５】
2006180174.tif 000007
【図６】
2006180174.tif 000008
【図７】
2006180174.tif 000009
【図８】
2006180174.tif 000010